(57)【要約】【課題】従来、墓前用花立ては小型のものが多く、貯え得る水量は供えられる生花の嵩さに対して充分ではなく、蒸発や生花の水の吸引により短時間で水枯れが生じ、本来持つであろう寿命より早く枯れてしまう課題があった。またこれらの花立ては狭い円筒形の容器であるがためバランスに難があり、強い風雨によっては傾倒する虞もあった。【解決手段】左右対称の花立て間へ水槽を一体に形成して成る合成樹脂製の水槽花立ての、左右花立て部と水槽内との隔壁中央部にそれぞれ連通孔を設けて、開放口より給水した水が左右花立てにおいても水槽と同一水位まで維持できるようにして課題を解決した。【効果】一対の花立ての間に大容量の水槽を設けたので、蒸発や生花の水の吸引による水量に対して充分な水量を給水でき生花を長く保持でき、然も既存の墓にも新規建立の墓にも簡単に設置することができる汎用性の高いものである。【選択図】        図２
2004154397.tif 000002
【特許請求の範囲】
【請求項１】
左右対称の花立て間へ水槽を一体に形成して成る合成樹脂製の水槽付花立てに於いて、左右の花立てと水槽内との隔壁中央部にそれぞれ左右に連通孔を設けて、開放口より水槽へ給水した水が連通孔より左右の花立てへ流水され左右花立てにおいても水槽と同一の水位まで絶えず維持できるようにして、両花立て中の生花が短時間で水枯れすることなく長く保持できるようにしたことを特徴とする墓前用水槽付一対花立て。
【請求項２】
左右花立ての下部をそれぞれ鋭角に尖形した差込み筒部を地面へ埋設して、水槽底部と地面との間に空隙を設けて成る請求項１に記載の墓前用水槽付一対花立て。
【発明の詳細な説明】
【０００１】
【発明の属する技術分野】
本発明は、左右の花立ての間に水槽を一体に形成して墓前に供えられた生花に水を充分に給水できるようにし、短時間に生花の水枯れの発生を防止する墓前用水槽付一対花立てに関するものである。
【０００２】
【従来の技術】
従来、墓前に供えられる生花は墓石の前方の石材に縦穴をあけ、金属製の竹筒形の花立て容器をその穴に差し込んで使用するものから、墓石の前方の場所に合成樹脂製または金属製の竹筒に似せた筒形で下端を尖らせ、地面に差込して使用する花立てまで種々な形状を有したものが使用されている。
【０００３】
しかしながら上記の花立ては小型のものが多く、貯え得る水量は供えられる生花の嵩さに対して充分ではなく、蒸発や生花の水の吸引により短時間で水枯れが生じ、生花が本来持つであろう寿命より早く枯れてしまう問題点があった。またこれらの花立ては狭い竹筒形の容器であるがためバランスの点にも難があり、強い風雨によっては傾倒する虞もあった。
【０００４】
そこで、特開平９−４５１１８のように灯篭付き貯水容器と花立て部を一体化させ、水枯れを起さないように長期間給水できるようにした花立て付灯篭が考えられた。
【０００５】
【発明が解決しようとする課題】
ところが、上記文献に記載された発明は、以下に述べるような問題点がある。即ち上記発明は、墓石の両側に設置した灯篭部に花立て部を一体に形成して灯篭部の下半分と花立て部を貯水室へ花立てを立てるように構成されているため、必然的に大型化して高価なものを余儀なくされた。したがって、墓にあまり金をかけずお参りする気持ちを大切にする考えの人には不向きなものである。
【０００６】
そこで、既存の墓にも新規建立の墓にも簡単に設置することができ、しかも左右の花立ての間に大容量の水槽を一体化させ、蒸発や生花の水の吸引によって消費される水量に対して充分な水量が絶えず確保でき、然も軽量にして地面へ着脱が容易な墓前用水槽付一対花立てが一般に求められる所以がある。
【０００７】
【課題を解決するための手段】
本発明は、上記課題を解決するためになされたものであり、その要旨  とするところは、左右対称の花立て間へ水槽を一体に形成して成る合成樹脂製の水槽付花立てに於いて、左右の花立てと水槽内との隔壁中央部にそれぞれ左右に連通孔を設けて、開放口より水槽へ給水した水が連通孔より左右の花立てへ流水され左右花立てにおいても水槽と同一の水位まで絶えず維持できるようにして、両花立て中の生花が短時間で水枯れすることなく長く保持できるようにしたことを特徴とする墓前用水槽付一対花立て、及び左右花立ての下部をそれぞれ鋭角に尖形した差込み筒部を地面へ埋設して、水槽底部と地面との間に空隙を設けて成る墓前用水槽付一対花立てに関するものである。
【０００８】
【発明の実施の形態】
本発明の墓前用水槽付一対花立ての実施例を別紙図面を参照しながら詳細に説明する。
図１に於て、Ａは墓１６の前面位置の地面２０に設置される本発明の水槽付一対花立てを示す。この水槽付一対花立てＡは、合成樹脂製にて左右の花立て部１、２とその中間の水槽部３を一体に形成して構成されている。
【０００９】
一般に墓１６は区画整理されたスペースに敷石１９を敷設し、中央の台座１７に墓石１８が設置されている。また付属物として花立てや蝋燭、線香台などが準備されている。
【００１０】
図２に示すように、花立て部１、２は、上部の生花挿入口４を開放側とし、竹筒状の花壷としている。また該花立て部１、２の下部の地面２０への差込み筒部５を鋭角な面で尖形に構成している。
【００１１】
図２に於て、水槽付一対花立てＡの設置状態は、設置場所の敷石１９を排除して、水槽付一対花立てＡを左右対称の状態で墓石１８に対して均等位置で地面２０に差込まれる。勿論、差込み筒部５の半分位の位置まで地面２０に差込まれ、水槽付一対花立てＡを安定して埋設できるようになっている。
【００１２】
次に図３ａに示すように、水槽付一対花立てＡは、前述の様に花立て部１、２を左右対称の形状とすると共に、該花立て部１、２間に断面櫛型の中空容器とした水槽部３を一体に連設して構成されている。
【００１３】
図２、図３ｂに於て、水槽部３は、左右花立て部１、２の上部の生花挿入口４より稍下方にに開放口７を有し、常時は開放口７に上蓋８を設けて密閉する構造としている。水槽部３の底部９は、左右花立て部１、２の下部６の位置までとする。そして、図６に示すように差込筒部５を地面２０に差込みしたとき、水槽部３の底部９と地面２０との間に空隙１２が生じる。
【００１４】
なお、本発明の水槽部３の形状は櫛型の中空容器の形状に拘泥することなく、楕円形状或は方形、円形の中空容器であっても勿論差支えない。      また、この上蓋８の材質や形状は特に限定されるものではなく、上蓋８を開閉できる機構であればよい。実施例では供物を置き易いように水槽部３の平面部は浅皿状の平坦面１０に形成され、且上蓋８が風雨にて吹き飛ばないように合成樹脂製の水槽部３と一体成形されたヒンジ２１に接合係止させてある。
【００１５】
図４に於て、花立て部１、２と水槽部３は側面で、左右対称の状態で一体化され、バランス良く、略同じ位置の板厚の幅で構成されている。したがって水槽部３へ満水にしても水槽付花立て自体が変形する虞はない。また、左右花立て部１、２の差込み筒部５は地面に差込みしたとき充分強度を有するものである。尚且、花立て部１、２と水槽部３とが合成樹脂製で一体成形させて強度を連帯しているため極力薄くして軽量化させたとしても使用上支障を来たさない。
【００１６】
図４に示すように、花立て部１、２と水槽部３とを区画する隔壁部２２、２２の略中央部に連通孔１１、１１がそれぞれ穿設されている。したがって、図５に示すように開放口７より給水したとき水槽部３中の水は矢印のように連通孔１１、１１より花立て部１、２へ流出して行く。また、図７に示すように水槽部３中の水が減少して下部の隔壁部２２、２２の水槽部３中に貯留されている。したがって、この水槽部中に貯留された水の重量によって水槽付花立ては安定性良く地面２０へ設置されている。
【００１７】
図５に於て、献花する際には水槽部３の上蓋８を開放し、柄杓１５などで水１４を水槽部３へ注ぎ込む。次いで図６に示すように水槽部３の連通孔１１、１１より矢印αの方向即ち、左右花立て部へ送水される。そして水槽部３と左右花立て部内が満水になったら上蓋８を閉鎖する。その後花立て部１、２に一対の生花を献花することになる。このとき花立て部１、２の挿入口４より水１４が溢れることがあっても花立て部１、２の外部へ溢出する。また花立て部１、２に生花を献花して、その後水が減少して水槽部３に水１４を継ぎ足しする場合も前述手順にて行えばよい。
【００１８】
つまり、生花１３の水の吸引や蒸発により花立て部１、２の水が減少しても水槽部３の開放口７より新鮮な水１４を給水すれば、生花１３が本来持つ寿命の間絶えず潤い活性化しているので日持ちが良好となる。
【００１９】
図７に示すように、隔壁部２２、２２の下部が水槽部３の底部９より稍上方の位置に設けてあるので、水槽部３中の水が減少したとき、連通孔１１、１１より左右の花立て部１、２へ流れて行かず、隔壁部２２、２２の下部の水槽中に水が貯留されている。したがって水槽付花立ての重量が保たれ安定している。
【００２０】
【発明の効果】
本発明の墓前用水槽付一対花立ては、左右の花立ての間に大容量の水槽を一体に設けたので、蒸発や生花の水の吸引による水量に対して充分な水量を水槽の連通孔より左右の花立てへ給水できるので、生花を短時間で枯らすことなく長く維持できる。また、既存の墓にも新規建立の墓にも簡単に設置することができる汎用性の高いものである。
【００２１】
本発明の墓前用水槽付一対花立ては、合成樹脂製で成る故、頗る軽量であるので地面へ簡単に着脱できる故、洗浄する際に非常に利便である。
【００２２】
本発明の墓前用水槽付一対花立ては、左右一体化した花立て部の下部の差込み筒部を鋭角として尖形部を地面に挿込して固定するようにしたので、生花の束のバランスが悪くても左右の花立て部が地面に安定した状態で保持されている。
【００２３】
本発明の左右の花立てと水槽との間に隔壁部を設けたので、水槽部内の水が減少しても隔壁部下部の水槽中に水が溜まり、この貯留水の重量にて水槽付花立てが地面に安定性よく維持され、風にて揺動するのを防止する役目をも果している。
【００２４】
本発明の水槽部の底部と地面との間に空隙を設けたので、強風の際風がこの空隙を通過していくため花立てへの風当りが減少され、ひいては水槽花立ての耐久性を増大させることになる。
【００２５】
本発明の水槽の上蓋を平坦面に形成したので、該部へ線香や香炉を載置して焚くことができる。
【図面の簡単な説明】
【図１】本発明の１実施例の使用状態を示した斜視図である。
【図２】本発明の１実施例の上蓋を一部欠截した外観斜視図である。
【図３】ａ  本発明の１実施例の平面図である。
ｂ  図３ａのＺ−Ｚ線断面図である
【図４】図４のＹ−Ｙ線断面図である。
【図５】本発明の１実施例の水槽に水を供給する状態を示す説明図である。
【図６】本発明の１実施例の花立て部への水の流れを示した説明図である。
【図７】本発明の水槽部下部に水が貯留されている状態を示す縦断面図である。
【符号の説明】
１  花立て部
２  花立て部
３  水槽部
４  挿入口
５  差込み筒部
６  下部
７  開放口
８  上蓋
９  底部
１０  平坦面部
１１  連通孔
１２  空隙
１３  生花
１４  水
１５  柄杓
１６  墓
１７  台座
１８  墓石
１９  敷石
２０  地面
２１  ヒンジ
２２  隔壁部
α  方向
Ａ  水槽付一対花立て
【図１】
2004154397.tif 000003
【図２】
2004154397.tif 000004
【図３】
2004154397.tif 000005
【図４】
2004154397.tif 000006
【図５】
2004154397.tif 000007
【図６】
2004154397.tif 000008
【図７】
2004154397.tif 000009